(57)【要約】【課題】カード搬送時におけるカード表面または裏面の損傷を抑制し得るカード搬送装置を提供する。【解決手段】カードの搬送方向と平行に配置され、搬送されるカードの側面を挟んで互いに対向する一対の搬送ガイド部、を備えるカード搬送装置において、一対の搬送ガイド部の少なくとも一方は、搬送されるカードの側面に対向するガイド側面と、ガイド側面と接し、搬送されるカードの表面の縁部の一部を覆うガイド天井面と、ガイド側面と接し、搬送されるカードの裏面の縁部の一部を覆うガイド底面と、を有し、一対の搬送ガイド部の少なくとも一方において、ガイド側面とガイド天井面との間の角度、または、ガイド側面とガイド底面との間の角度は、９０度よりも大きい。【選択図】図３
2014137764.tif 000002
【特許請求の範囲】
【請求項１】
カード搬送装置であって、
カードの搬送方向と平行に配置され、搬送される前記カードの側面を挟んで互いに対向する一対の搬送ガイド部、を備え、
前記一対の搬送ガイド部の少なくとも一方は、
搬送される前記カードの側面に対向するガイド側面と、
搬送される前記カードの表面の縁部の一部を覆うガイド天井面と、
前記ガイド側面と接し、搬送される前記カードの裏面の縁部の一部を覆うガイド底面と、
を有し、
前記一対の搬送ガイド部の少なくとも一方において、前記ガイド側面と前記ガイド天井面との間の角度、または、前記ガイド側面と前記ガイド底面との間の角度は、９０度よりも大きい、カード搬送装置。
【請求項２】
請求項１に記載のカード搬送装置において、
前記ガイド側面における前記搬送方向と垂直な断面形状は、円弧である、カード搬送装置。
【請求項３】
請求項２に記載のカード搬送装置において、
前記ガイド天井面と前記ガイド底面との間の角度は、１度以上である、カード搬送装置。
【請求項４】
請求項１に記載のカード搬送装置において、
前記ガイド側面と、前記ガイド天井面と、前記ガイド底面と、はいずれも平面であり、
前記ガイド側面と前記ガイド天井面との間の角度、または、前記ガイド側面と前記ガイド底面との間の角度は、１１０度よりも大きい、カード搬送装置。
【請求項５】
請求項１〜４のいずれか１項に記載のカード搬送装置において、
前記カードの隅の形状は、所定の曲率半径のＲ形状であり、
前記ガイド天井面または前記ガイド底面において、前記カードの縁部の一部を覆う部分の前記搬送方向と垂直な方向の長さは、前記所定の曲率半径よりも長い、カード搬送装置。
【請求項６】
請求項１〜５のいずれか１項に記載のカード搬送装置において、さらに、
前記一対の搬送ガイド部のうち、一方の搬送ガイド部を、他方の搬送ガイド部に近づける方向に付勢する付勢部を備える、カード搬送装置。
【発明の詳細な説明】
【技術分野】
【０００１】
本発明は、カードの搬送に関する。
【背景技術】
【０００２】
現金自動取引装置や定期券発行装置などの磁気カードを取り扱う装置において、磁気カードは、カード搬送装置により、磁気カードの受け入れ口と、磁気の読み取り及び書き込みを行う処理部との間を搬送される。カード搬送装置として、搬送される磁気カードの側面側に配置され、搬送時のカードの姿勢を適切に保持するための一対の搬送ガイドを備えるカード搬送装置が提案されている（特許文献１）。
【先行技術文献】
【特許文献】
【０００３】
【特許文献１】特開平９−１４７０６６号公報
【発明の概要】
【発明が解決しようとする課題】
【０００４】
上記特許文献１の搬送ガイドの搬送方向に垂直な断面形状は、コの字形状である。より具体的には、磁気カードと接する側面と天井面との間の角度、及び側面と底面との間の角度がいずれも９０度である。このため、磁気カードの搬送位置が適切な位置よりも鉛直方向にずれた場合や、磁気カードが変形している場合には、磁気カードは搬送ガイドの天井面または底面に接触し、磁気カードの表面または裏面に摩擦痕が生じるという問題があった。なお、かかる問題は磁気カードに限らず、ＩＣ（Integrated Circuit）チップを備えるカードなど、任意のカードを搬送するカード搬送装置において起こり得る。
【０００５】
本発明は、前述の課題を解決するためになされたものであり、カード搬送時におけるカード表面または裏面の損傷を抑制し得るカード搬送装置を提供する。
【課題を解決するための手段】
【０００６】
上記課題を解決するために、本発明は、カードの搬送方向と平行に配置され、搬送されるカードの側面を挟んで互いに対向する一対の搬送ガイド部、を備えるカード搬送装置であって、一対の搬送ガイド部の少なくとも一方は、搬送されるカードの側面に対向するガイド側面と、ガイド側面と接し、搬送されるカードの表面の縁部の一部を覆うガイド天井面と、ガイド側面と接し、搬送されるカードの裏面の縁部の一部を覆うガイド底面と、を有し、一対の搬送ガイド部の少なくとも一方において、ガイド側面とガイド天井面との間の角度、または、ガイド側面とガイド底面との間の角度は、９０度よりも大きい、カード搬送装置を備える。
【発明の効果】
【０００７】
本発明によれば、一対の搬送ガイド部の少なくとも一方において、ガイド側面とガイド天井面との間の角度、または、ガイド側面とガイド底面との間の角度は、９０度よりも大きいので、カードの搬送時において、搬送方向と垂直な方向（天井面寄りの方向または底面寄りの方向）へのカードの位置ずれが発生した場合や、カードが変形している場合であっても、カードが天井面または底面に接触することを抑制できる。このため、カード搬送時におけるカードの表面または裏面の損傷を抑制できる。
上記した以外の課題、構成及び効果は、以下の実施形態の説明により明らかにされる。
【図面の簡単な説明】
【０００８】
【図１】本発明の一実施例としてのカード搬送装置を適用した現金自動取引装置の外観及びキャッシュカードの外観を示す説明図である。
【図２】現金自動取引装置１００の内部構成の概略を示すブロック図である。
【図３】図２に示すカード搬送部１０の詳細構成を示す断面図である。
【図４】キャッシュカードＣＡの鉛直方向の位置ずれが発生した状態におけるカード搬送部１０の詳細構成を示す断面図である。
【図５】キャッシュカードＣＡが変形した状態におけるカード搬送部１０の詳細構成を示す断面図である。
【図６】比較例のカード搬送装置におけるキャッシュカードＣＡと搬送ガイドとの接触部分を拡大して示す説明図である。
【図７】実施例２におけるカード搬送部の詳細構成を示す断面図である。
【図８】実施例３におけるカード搬送部の詳細構成を示す断面図である。
【図９】実施例４におけるカード搬送部の詳細構成を示す断面図である。
【発明を実施するための形態】
【０００９】
以下、図面を用いて実施例を説明する。
【実施例１】
【００１０】
Ａ１．装置構成：
図１は、本発明の一実施例としてのカード搬送装置を適用した現金自動取引装置の外観及びキャッシュカードの外観を示す説明図である。現金自動取引装置１００は、磁気ストライプＭＳを有するキャッシュカードＣＡを受け付けて、利用者の操作に応じて現金の払い出しや預け入れ等の取引を実行する。
【００１１】
現金自動取引装置１００は、利用者に対面する前面パネル１０１と、操作テーブル１０２とを備えている。前面パネル１０１には、キャッシュカード受入部１１０と、通帳受入部１２０と、紙幣受入部１３０と、硬貨受入部１４０とが設けられている。キャッシュカード受入部１１０は、キャッシュカードＣＡの受け入れ及び排出を行う。通帳受入部１２０は、通帳の受け入れ及び排出を行う。硬貨受入部１４０は、硬貨の受け入れ及び排出を行う。操作テーブル１０２には、操作部１５０が設けられている。操作部１５０は、タッチパネルにより構成されており、各種メニュー画面や残額等を表示し、また、ユーザ操作を受け付ける。
【００１２】
図１に示すように、キャッシュカードＣＡの平面視形状は、四隅が面取りされた略矩形形状を有している。キャッシュカードＣＡの高さｈ１と、幅Ｗ１とは所定の規格により定められた大きさであり、例えば、高さｈ１は５４．０ｍｍであり、幅ｗ１は８５．６ｍｍである。キャッシュカードＣＡの四隅の形状は、いずれも曲率半径ｒ１のＲ形状である。曲率半径ｒ１としては、例えば、３ｍｍとすることができる。図１に示すように、キャッシュカードＣＡは、短手方向の辺を先頭として表面及び裏面が水平方向と平行な状態で現金自動取引装置１００に挿入される。
【００１３】
図２は、現金自動取引装置１００の内部構成の概略を示すブロック図である。図２に示すように、現金自動取引装置１００は、前述のキャッシュカード受入部１１０、通帳受入部１２０、紙幣受入部１３０、硬貨受入部１４０、操作部１５０に加えて、カード搬送部１０と、カード処理部１１１と、通帳搬送部１２１と、通帳処理部１２２と、紙幣搬送部１３１と、紙幣処理部１３２と、硬貨搬送部１４１と、硬貨処理部１４２と、主制御部２００とを備えている。
【００１４】
カード搬送部１０は、キャッシュカード受入部１１０と、カード処理部１１１との間に配置され、キャッシュカード受入部１１０において受け付けられたキャッシュカードＣＡをカード処理部１１１に搬送し、また、カード処理部１１１において処理されたキャッシュカードＣＡをキャッシュカード受入部１１０に搬送する。図２に示すように、カード搬送部１０は、一対の搬送ローラー１２と、搬送ガイド１１とを備えている。一対の搬送ローラー１２は、図示しないモーターにより駆動され、キャッシュカードＣＡを挟みこんで搬送方向ｄ１または搬送方向ｄ２に繰り出す。なお、キャッシュカード受入部１１０とカード処理部１１１との間には、一対の搬送ローラー１２が複数配置されている。搬送ガイド１１は、搬送されるキャッシュカードＣＡの両方の側面側に配置され、キャッシュカード受入部１１０とカード処理部１１１との間に延設されている。カード搬送部１０により、キャッシュカードＣＡは、図１に示す挿入時の姿勢を保ったまま搬送される。なお、カード搬送部１０の詳細構成については後述する。カード搬送部１０は、本発明の一実施例としてのカード搬送装置に該当する。カード処理部１１１は、磁気ストライプＭＳに記録されている情報の読出し、及び磁気ストライプＭＳへの情報の書き込みを実行する。
【００１５】
通帳搬送部１２１は、通帳受入部１２０と、通帳処理部１２２との間に配置され、通帳受入部１２０において受け付けられた通帳を通帳処理部１２２に搬送し、また、通帳処理部１２２において処理された通帳を通帳受入部１２０に搬送する。通帳搬送部１２１としては、例えば、搬送用ベルトと、ベルトを駆動させるためのローラーと、ローラー用の駆動モーターとを有する公知の構成を採用することができる。通帳処理部１２２は、取引内容の通帳への印字や、通帳が有する磁気ストライプからの情報の読み取りや、かかる磁気ストライプへの情報の書き込みを実行する。
【００１６】
紙幣搬送部１３１は、紙幣受入部１３０と、紙幣処理部１３２との間に配置され、紙幣受入部１３０において受け付けられた紙幣を紙幣処理部１３２に搬送し、また、紙幣処理部１３２において処理された紙幣を紙幣受入部１３０に搬送する。紙幣搬送部１３１としては、例えば、搬送用ベルトと、ベルトを駆動させるためのローラーと、ローラー用の駆動モーターと、紙幣の搬送経路を制御するためのゲートとを有する公知の構成を採用することができる。紙幣処理部１３２は、紙幣の真偽の識別や、金種の識別や、印刷された番号の読み取りや、紙幣の保管等を行う。
【００１７】
硬貨搬送部１４１は、硬貨受入部１４０と、硬貨処理部１４２との間に配置され、硬貨受入部１４０において受け付けられた硬貨を硬貨処理部１４２に搬送し、また、硬貨処理部１４２において処理された硬貨を硬貨受入部１４０に搬送する。硬貨搬送部１４１としては、例えば、搬送用ベルトと、ベルトを駆動させるためのローラーと、ローラー用の駆動モーターとを有する公知の構成を採用することができる。硬貨処理部１４２は、硬貨の真偽の識別や、金種の識別や、硬貨の計数や、硬貨の保管等を行う。
【００１８】
主制御部２００は、カード搬送部１０と電気的に接続されており、カード搬送部１０（モーター）の動作を制御する。同様に、主制御部２００は、カード処理部１１１、通帳搬送部１２１、通帳処理部１２２、紙幣搬送部１３１、紙幣処理部１３２、硬貨搬送部１４１、硬貨処理部１４２及び操作部１５０と、それぞれ電気的に接続されており、各機能部の動作を制御する。主制御部２００は、例えば、ＣＰＵ（Central Processing Unit）や、ＲＯＭ（Read Only Memory）や、ＲＡＭ（Random Access Memory）等により構成することができる。
【００１９】
図３は、図２に示すカード搬送部１０の詳細構成を示す断面図である。図３では、カード搬送部１０における、キャッシュカードＣＡの搬送方向と垂直な断面を表している。図３（ａ）は、一対の搬送ローラー１２が配置された位置における断面であり、搬送ローラー１２によりキャッシュカードＣＡが繰り出されている状態の断面を表している。図３（ｂ）は、図３（ａ）におけるキャッシュカードＣＡと搬送ガイド１１との接触部分を拡大して表している。
【００２０】
図３（ａ）に示すように、カード搬送部１０は、前述の搬送ガイド１１及び搬送ローラー１２に加えて、付勢部１３と、２つの支持部（第１支持部３０ａ，第２支持部３０ｂ）とを備えている。搬送ガイド１１は、互いに対向する第１搬送ガイド１１ａと第２搬送ガイド１１ｂとを備えている。第１搬送ガイド１１ａと第２搬送ガイド１１ｂとは、互いに搬送されるキャッシュカードＣＡを挟んで対称の外観形状を有する。以下、図３（ｂ）を用いて、第２搬送ガイド１１ｂの形状を代表して説明する。
【００２１】
図３（ｂ）に示すように、第２搬送ガイド１１ｂは、中間部２１と、上方部２２と、下方部２３とを備えている。中間部２１は、上端において上方部２２と接続され、下端において下方部２３と接続されている。上方部２２は、中間部２１と接続された端部から斜め上方に延びた長手方向を有する略矩形の断面形状を有する。本実施例において、かかる断面形状における長手方向の長さＬ１は、図１に示す曲率半径ｒ１よりも長い。長さＬ１としては、例えば、８ｍｍとすることができる。上方部２２において内側（第１搬送ガイド１１ａ側）の天井面Ｓ２は、キャッシュカードＣＡの表面のうち、長手方向（搬送方向）に沿った縁部を覆う。
【００２２】
下方部２３は、中間部２１と接続された端部から斜め下方に延びた長手方向を有する矩形の断面形状を有する。本実施例では、かかる矩形の長手方向の長さＬ２は、前述の長さＬ１と同様に、図１に示す曲率半径ｒ１よりも長い。下方部２３において内側の底面Ｓ３は、キャッシュカードＣＡの裏面のうち、長手方向（搬送方向）に沿った縁部を覆う。
【００２３】
図３（ｂ）に示すように、第２搬送ガイド１１ｂの中間部２１において内側の側面Ｓ１は、搬送されるキャッシュカードＣＡの側面と対向している。図３（ｂ）の例では、側面Ｓ１は、キャッシュカードＣＡの側面と接触している。側面Ｓ１と天井面Ｓ２との間の角度ｆ１は、９０度以上である。同様に、側面Ｓ１と底面Ｓ３との間の角度ｆ２は、９０度以上である。かかる構成により、天井面Ｓ２と底面Ｓ３との間の距離は、側面Ｓ１と天井面Ｓ２との接続部分及び側面Ｓ１と底面Ｓ３との接続部分において最も短く、第２搬送ガイド１１ｂから第１搬送ガイド１１ａに向かう方向に沿ってより長い。
【００２４】
なお、前述の側面Ｓ１は、請求項におけるガイド側面に相当する。また、天井面Ｓ２は請求項におけるガイド天井面に、底面Ｓ３は請求項におけるガイド底面に、それぞれ相当する。
【００２５】
第１搬送ガイド１１ａの形状は、上述した第２搬送ガイド１１ｂの形状と同様である。具体的には、第１搬送ガイド１１ａにおける中間部２１の側面Ｓ１には、キャッシュカードＣＡの側面（第２搬送ガイド１１ｂの側面Ｓ１と接する側面とは反対側の側面）が接する。また、搬送されるキャッシュカードＣＡの長手方向に沿った縁部は、第１搬送ガイド１１ａにおける中間部２１と上方部２２と下方部２３とで囲まれた空間に覆われている。このような構成を有する搬送ガイド１１により、搬送されるキャッシュカードＣＡは、水平方向（短手方向）の移動が抑制され、また、鉛直方向（キャッシュカードＣＡの厚み方向）の移動が抑制される。このため、キャッシュカードＣＡの搬送時の姿勢は、搬送ガイド１１によって適切に保持される。なお、図３では、搬送時におけるキャッシュカードＣＡの適切な姿勢及び搬送位置を表している。このとき、キャッシュカードＣＡの側面は、搬送ガイド１１（第１搬送ガイド１１ａ及び第２搬送ガイド１１ｂ）の側面Ｓ１において、鉛直方向の中央部分に接している。
【００２６】
また、上述の構成を有する搬送ガイド１１により、鉛直方向におけるキャッシュカードＣＡの搬送位置が適切な位置からずれた場合や、キャッシュカードＣＡが変形して反った状態である場合にも、キャッシュカードＣＡの表面及び裏面が第１搬送ガイド１１ａまたは第２搬送ガイド１１ｂに接触することを抑制できる。
【００２７】
図３（ａ）に示すように、搬送ローラー１２は、上部ローラー１２ａと、下部ローラー１２ｂとにより構成されている。搬送ローラー１２は、搬送されるキャッシュカードＣＡの水平方向における中央部分（短手方向の中央部分）と接する位置に配置されている。キャッシュカードＣＡは、２つのローラー１２ａ，１２ｂにより挟まれて搬送方向ｄ１または図示しない搬送方向ｄ２に繰り出される。
【００２８】
付勢部１３の一端は、第１搬送ガイド１１ａの中間部２１において側面Ｓ１とは反対側の背面Ｓ１１に接続され、他端は、第１支持部３０ａに接続されている。付勢部１３は、第１搬送ガイド１１ａを、第２搬送ガイド１１ｂに向かう方向（近づく方向）に付勢する。付勢部１３としては、例えば、コイルバネや、角バネといった圧縮バネや、天然ゴムや合成ゴムといったエラストマー等を採用することができる。
【００２９】
第１支持部３０ａは、現金自動取引装置１００の筐体に組みつけられており、付勢部１３の押圧力を吸収する。また、第２支持部３０ｂは、現金自動取引装置１００の筐体に組みつけられており、第２搬送ガイド１１ｂの中間部２１において側面Ｓ１とは反対側の背面Ｓ１２に接続されている。
【００３０】
キャッシュカードＣＡの搬送時には、第１搬送ガイド１１ａの側面Ｓ１にはキャッシュカードＣＡの側面が接触し、第１搬送ガイド１１ａには、第２搬送ガイド１１ｂに向かう方向（近づく方向）に付勢力が加えられる。このため、長手方向（搬送方向）に沿ったキャッシュカードＣＡの側面は、第１搬送ガイド１１ａと第２搬送ガイド１１ｂとにしっかりと接触するため、キャッシュカードＣＡの水平方向（短手方向）の位置ずれが抑制される。
【００３１】
図４は、キャッシュカードＣＡの鉛直方向の位置ずれが発生した状態におけるカード搬送部１０の詳細構成を示す断面図である。図４に示す断面図は、キャッシュカードＣＡの鉛直方向の位置が鉛直上方にずれている点を除き、図３に示す断面図と同じである。キャッシュカードＣＡの鉛直方向の位置ずれは、例えば、搬送ローラー１２の位置や搬送ガイド１１の位置の経年変化や、キャッシュカードＣＡの撓み等により起こり得る。
【００３２】
図４（ｂ）に示すように、キャッシュカードＣＡの側面の上端は、第２搬送ガイド１１ｂの中間部２１の上端に位置している。しかしながら、側面Ｓ１と天井面Ｓ２との間の角度ｆ１は９０度以上であるため、キャッシュカードＣＡの表面は、天井面Ｓ２と接していない。このため、天井面Ｓ２によるキャッシュカードＣＡの表面の損傷は抑制され、摩擦痕の発生は抑制される。
【００３３】
図５は、キャッシュカードＣＡが変形した状態におけるカード搬送部１０の詳細構成を示す断面図である。図５に表す断面図は、搬送ローラー１２が配置されていない位置における断面を現す点、及びキャッシュカードＣＡが変形している点を除き、図３に表す断面図と同じである。
【００３４】
図５（ａ）に示すように、キャッシュカードＣＡは、中央部分が上方に反っている。図５（ａ）の例では、キャッシュカードＣＡの中央部分は、端部に比べて距離ｔ１だけ上方に位置している。この場合、図５（ｂ）に示すように、第２搬送ガイド１１ｂに囲まれたキャッシュカードＣＡの縁部は、端部から斜め上方に向かうように変形している。しかしながら、側面Ｓ１と天井面Ｓ２との間の角度ｆ１は９０度以上であるため、キャッシュカードＣＡの表面は、天井面Ｓ２と接していない。このため、天井面Ｓ２によるキャッシュカードＣＡの表面の損傷は抑制され、摩擦痕の発生は抑制される。
【００３５】
例えば、図１に示すようにキャッシュカードＣＡの高さｈ１が５４．０ｍｍであり、図５（ａ）に示すように距離ｔ１が６ｍｍであった場合、図５（ｂ）に示すキャッシュカードＣＡと側面Ｓ１との間の角度ｆ３は、およそ１０２．５度となる。これに対して、側面Ｓ１と天井面Ｓ２との間の角度ｆ１が、１０２．５度よりも大きな角度（例えば、１１０度）であれば、変形したキャッシュカードＣＡの鉛直方向の搬送位置が図４に示すように鉛直上方にずれた場合であっても、キャッシュカードＣＡの表面は、天井面Ｓ２と接しない。したがって、天井面Ｓ２によるＣＡキャッシュカードＣＡの表面の損傷は抑制され、摩擦痕の発生は抑制される。
【００３６】
Ａ２．比較例：
図６は、比較例のカード搬送装置におけるキャッシュカードＣＡと搬送ガイドとの接触部分を拡大して示す説明図である。比較例のカード搬送装置における搬送ガイド２１１の断面形状はいわゆるコの字形状である。具体的には、搬送ガイド２１１は、中間部２２１と、天井部２２２と、底面部２２３とからなる。中間部２２１の上端は天井部２２２に接続されている。中間部２２１の下端は底面部２２３に接続されている。中間部２２１において内側の側面Ｓ５１は、搬送されるキャッシュカードＣＡの側面と接触する。天井部２２２における内側の天井面Ｓ５２と側面Ｓ５１との間の角度は９０度である。同様に、底面部２２３における内側の底面Ｓ５３と側面Ｓ５１との間の角度は９０度である。
【００３７】
図６（ａ）では、図４（ｂ）と同様に、キャッシュカードＣＡの鉛直方向の位置ずれが発生した状態におけるキャッシュカードＣＡと搬送ガイドとの接触部分を拡大して示している。図６（ａ）の例では、キャッシュカードＣＡの位置は鉛直上方にずれ、キャッシュカードＣＡの側面の上端は、側面Ｓ５１の上端と接している。この状態では、キャッシュカードＣＡの表面は、天井面Ｓ５２と接する接触部ｐ１を有し、この接触部ｐ１において摩擦痕が生じ得る。
【００３８】
図６（ｂ）では、図５（ｂ）と同様に、キャッシュカードＣＡが撓んだ状態におけるキャッシュカードＣＡと搬送ガイドとの接触部分を拡大して示している。なお、図６（ｂ）におけるキャッシュカードＣＡの変形の度合いは、図５（ｂ）におけるキャッシュカードＣＡの変形の度合いと同じである。図５（ｂ）に示すように、側面Ｓ５１と天井面Ｓ５２との間の角度が９０度であるために、キャッシュカードＣＡは、天井面Ｓ５２の端部に接触している。したがって、キャッシュカードＣＡの表面には、天井面Ｓ５２と接触する接触部ｐ２において摩擦痕が生じ得る。
【００３９】
以上の比較例に対して、本実施例のカード搬送部１０では、キャッシュカードＣＡの鉛直方向の搬送位置のずれが発生した場合や、キャッシュカードＣＡが変形している場合であっても、キャッシュカードＣＡが天井面Ｓ２または底面Ｓ３に接触することを抑制できる。
【００４０】
以上説明したように、本実施例のカード搬送部１０では、搬送ガイド１１の側面Ｓ１と天井面Ｓ２との間の角度ｆ１、及び搬送ガイド１１の側面Ｓ１と底面Ｓ３との間の角度ｆ２は、いずれも９０度以上である。このため、キャッシュカードＣＡの位置が適切な位置から鉛直方向にずれた場合や、キャッシュカードＣＡが変形している場合であっても、キャッシュカードＣＡが天井面Ｓ２または底面Ｓ３に接触することを抑制でき、キャッシュカードＣＡの表面及び裏面の損傷を抑制できる。
【００４１】
また、角度ｆ１を、例えば１１０度以上とすることにより、キャッシュカードＣＡの高さ（短手方向の長さ）ｈ１が５４．０ｍｍであり、かつ、キャッシュカードＣＡの短手方向の端に比べてキャッシュカードＣＡの中央部分が６ｍｍだけ表面方向または裏面方向に突出した場合であっても、キャッシュカードＣＡが、天井面Ｓ２または底面Ｓ３に接触することを抑制できる。
【００４２】
また、第２搬送ガイド１１ｂは、第２支持部３０ｂに固定され、第１搬送ガイド１１ａは、付勢部１３により第２搬送ガイド１１ｂに向かう方向に付勢される。このため、キャッシュカードＣＡの両方の側面を、第１搬送ガイド１１ａ及び第２搬送ガイド１１ｂに確実に接触させることができる。したがって、搬送時におけるキャッシュカードＣＡの水平方向の位置ずれを抑制できる。
【００４３】
また、上方部２２の断面形状における長手方向の長さＬ１、換言すると、天井面Ｓ２において側面Ｓ１との接続部分から開放部分に至るまでの距離は、キャッシュカードＣＡの隅の曲率半径ｒ１よりも長い。したがって、キャッシュカードＣＡの搬送中にキャッシュカードＣＡの縁部が搬送ガイド１１から外れてしまうことを抑制できる。
【実施例２】
【００４４】
図７は、実施例２におけるカード搬送部の詳細構成を示す断面図である。実施例２の現金自動取引装置は、搬送ガイドの中間部の形状において実施例１の現金自動取引装置１００と異なり、他の構成は、第１実施例の現金自動取引装置１００と同じである。図７では、図３と同様に、カード搬送部１０ａにおける、キャッシュカードＣＡの搬送方向と垂直な断面を表している。図７（ａ）は、図３（ａ）と同様に、一対の搬送ローラー１２が配置された位置における断面であり、搬送ローラー１２によりキャッシュカードＣＡが繰り出されている状態の断面を表している。図７（ｂ）は、図７（ａ）におけるキャッシュカードＣＡと搬送ガイド１１ｘとの接触部分を拡大して表している。
【００４５】
図７（ａ）に示すように、実施例２の搬送ガイド１１ｘは、互いに対向する第１搬送ガイド１１ｃと第２搬送ガイド１１ｄとを備えている。第１搬送ガイド１１ｃと第２搬送ガイド１１ｄとは、互いに搬送されるキャッシュカードＣＡを挟んで対称の外観形状を有する。以下、図７（ｂ）を用いて、第２搬送ガイド１１ｄの形状を代表して説明する。
【００４６】
図７（ｂ）に示すように、第２搬送ガイド１１ｄは、中間部２１ａの内側の側面Ｓ１ａの形状において、実施例１の第２搬送ガイド１１ｂと異なり、他の構成は、実施例１の第２搬送ガイド１１ｂと同じである。側面Ｓ１ａは、所定の曲率半径を有するＲ形状を有している。したがって、図７（ａ），（ｂ）に示すように、側面Ｓ１ａの断面形状は円弧である。本実施例では、側面Ｓ１ａと上方部２２の天井面Ｓ２との間の角度は、９０度よりも大きく１８０度に近い値である。同様に、側面Ｓ１ａと下方部２３の底面Ｓ３との間の角度は、９０度よりも大きく１８０度に近い値である。なお、本実施例では、天井面Ｓ２と底面Ｓ３との間の角度ｆ４は、１度以上である。ここで、天井面Ｓ２と底面Ｓ３とは直接的に接続されていないので、上述した天井面Ｓ２と底面Ｓ３との間の角度とは、天井面Ｓ２を延長した仮想的な面と、底面Ｓ３を延長した仮想的な面との間の角度を意味する。
【００４７】
図７（ｂ）に示すように、側面Ｓ１ａがＲ形状を有しているため、側面Ｓ１ａは、キャッシュカードＣＡの側面の上端及び下端とのみ接する。したがって、実施例２の構成では、キャッシュカードＣＡの側面全体が側面Ｓ１ａと接触することを抑制でき、キャッシュカードＣＡの側面の損傷を抑制できる。
【００４８】
以上の構成を有する実施例２のカード搬送部１０ａは、実施例１のカード搬送部１０と同様の効果を有する。加えて、実施例２において、中間部２１ａの側面Ｓ１ａはＲ形状を有しているため、キャッシュカードＣＡの側面において中間部２１ａと接触する部分の面積を低減できる。このため、キャッシュカードＣＡの側面の損傷を抑制できる。また、天井面Ｓ２と底面Ｓ３との間の角度を１度以上とするので、側面Ｓ１ａの曲率半径が小さいためにキャッシュカードＣＡの縁部が側面Ｓ１ａによって挟持され、キャッシュカードＣＡの移動が抑制されることを回避できる。
【実施例３】
【００４９】
図８は、実施例３におけるカード搬送部の詳細構成を示す断面図である。実施例３の現金取引装置は、第１支持部３０ａに代えて上方支持部３１ａ及び下方支持部３１ｂを備えている点、付勢部１３に代えて上方付勢部１４ａ及び下方付勢部１４ｂを備えている点において、実施例１の現金自動取引装置１００と異なり、他の構成は、第１実施例の現金自動取引装置１００と同じである。図８では、図３（ａ）と同様に、一対の搬送ローラー１２が配置された位置における、キャッシュカードＣＡの搬送方向に垂直なカード搬送部１０ｂの断面を表している。
【００５０】
図８に示すように、上方支持部３１ａは、第１搬送ガイド１１ａの鉛直上方に配置され、現金自動取引装置の筐体に組み付けられている。上方付勢部１４ａは、上方支持部３１ａと上方部２２の上端とに接続されており、上方部２２を上方かつ第２搬送ガイド１１ｂに向かう方向に付勢する。下方支持部３１ｂは、第１搬送ガイド１１ａの鉛直下方に配置され、現金自動取引装置の筐体に組み付けられている。下方付勢部１４ｂは、下方支持部３１ｂと下方部２３の下端とに接続されており、下方部２３を下方かつ第２搬送ガイド１１ｂに向かう方向に付勢する。このような構成により、第１搬送ガイド１１ａは、上方付勢部１４ａ及び下方付勢部１４ｂにより、第２搬送ガイド１１ｂに向かう方向（近づく方向）に付勢される。
【００５１】
上述した上方付勢部１４ａ及び下方付勢部１４ｂは、実施例１における付勢部１３と同様に、バネやエラストマー等により構成することができる。
【００５２】
以上の構成を有する実施例３のカード搬送部１０ｂは、実施例１のカード搬送部１０と同様の効果を有する。
【実施例４】
【００５３】
図９は、実施例４におけるカード搬送部の詳細構成を示す断面図である。実施例４の現金取引装置は、付勢部１３及び第１支持部３０ａを備えていない点と、第２の上方付勢部１５ａと、第２の下方付勢部１５ｂとを備えている点とにおいて、実施例１の現金自動取引装置１００と異なり、他の構成は、第１実施例の現金自動取引装置１００と同じである。図９では、一対の搬送ローラー１２が配置されていない位置における、キャッシュカードＣＡの搬送方向に垂直なカード搬送部１０ｃの断面を表している。
【００５４】
図９に示すように、第２の上方付勢部１５ａは、第１搬送ガイド１１ａの上方部２２の上端と、第２搬送ガイド１１ｂの上方部２２の上端とに接続されており、第１搬送ガイド１１ａの上方部２２及び第２搬送ガイド１１ｂの上方部２２を、それぞれ他方に向かう方向（近づく方向）に付勢する。第２の下方付勢部１５ｂは、第１搬送ガイド１１ａの下方部２３の下端と、第２搬送ガイド１１ｂの下方部２３の下端とに接続されており、第１搬送ガイド１１ａの下方部２３及び第２搬送ガイド１１ｂの下方部２３を、それぞれ他方に向かう方向（近づく方向）に付勢する。ここで、第２搬送ガイド１１ｂの中間部２１は、第２支持部３０ｂに接続されているので、第２搬送ガイド１１ｂは第１搬送ガイド１１ａに向かう方向に移動しない。これに対して、第１搬送ガイド１１ａは、筐体に固定されていないので、第２の上方付勢部１５ａ及び第２の下方付勢部１５ｂによる付勢力によって、第１搬送ガイド１１ａに向かう方向に移動し得る。
【００５５】
上述した第２の上方付勢部１５ａ及び第２の下方付勢部１５ｂは、実施例１における付勢部１３と同様に、バネやエラストマー等により構成することができる。
【００５６】
以上の構成を有する実施例４のカード搬送部１０ｃは、実施例１のカード搬送部１０と同様の効果を有する。
【００５７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成の一部について、他の構成の追加・削除・置換をすることが可能である。
【００５８】
また、上記の各構成、機能、処理部、処理手段等は、それらの一部または全部を、例えば集積回路で設計する等によりハードウェアで実現してもよい。また、上記各構成、機能等は、プロセッサがそれぞれの機能を実現するためのプログラムを解釈し、実行することによりソフトウェアで実現してもよい。各機能を実現するためのプログラム、テーブル、ファイル等の情報は、メモリや、ハードディスク、ＳＳＤ（Solid State Drive）等の記録装置、または、ＩＣカード、ＳＤカード、ＤＶＤ（登録商標）等の記録紙葉類に置くことができる。
【００５９】
また、制御線や情報線は説明上必要と考えられるものを示しており、製品上の制御線や情報線を必ずしも全て示しているとは限らない。実際には殆ど全ての構成が相互に接続されていると考えてもよい。また、本発明には、具体的な以下のような変形例が含まれ得る。
【００６０】
各実施例では、本発明の現金自動取引装置１００への適用を例示したが、本発明は、これに限定されない。例えば、現金自動取引装置１００に代えて、カードリーダや、定期券発行機や、各種自動販売機等のカードを取り扱う任意の装置に適用してもよい。また、各実施例では、現金自動取引装置１００の一機能部としてのカード搬送部１０に本発明を適用したが、これに代えて、単体の装置として動作し得るカード搬送装置に、本発明を適用してもよい。
【００６１】
各実施例において、キャッシュカードＣＡの平面視形状は、四隅が面取りされた略矩形形状であったが、四隅が面取りされていない矩形形状であってもよい。また、キャッシュカードＣＡは、磁気ストライプＭＳを備えていたが、磁気ストライプＭＳに代えてまたは磁気ストライプＭＳに加えて、ＩＣ（Integrated Circuit）チップを備える構成を採用してもよい。また、キャッシュカードに代えて、クレジットカードやメンバーズカードなど、任意のカードを採用してもよい。
【００６２】
実施例１では、図４に示すように、キャッシュカードＣＡの鉛直方向の位置ずれとして、鉛直上方への位置ずれを説明した。しかしながら、実施例１において、キャッシュカードＣＡは、鉛直下方に位置ずれした場合であっても底面Ｓ３と接触しない。このため、キャッシュカードＣＡの裏面の損傷を抑制できる。また、実施例１では、図５に示すように、キャッシュカードＣＡの中央部分が上方に反った状態を説明した。しかしながら、キャッシュカードＣＡは、中央部分が下方に反った状態であっても底面Ｓ３と接触しない。このため、キャッシュカードＣＡの裏面の損傷を抑制できる。
【００６３】
実施例１では、側面Ｓ１と天井面Ｓ２との間の角度ｆ１と、側面Ｓ１と底面Ｓ３との間の角度ｆ２とは、いずれも９０度よりも大きかったが、いずれか一方の角度のみ９０度よりも大きくしてもよい。また、実施例１では、第１搬送ガイド１１ａ及び第２搬送ガイド１１ｂのいずれにおいても、２つの角度ｆ１，ｆ２が９０度よりも大きかったが、第１搬送ガイド１１ａ及び第２搬送ガイド１１ｂのいずれか一方においてのみ、２つの角度ｆ１，ｆ２を９０度よりも大きくしてもよい。
【００６４】
実施例３では、上方部２２と下方部２３とは、いずれも上方付勢部１４ａまたは下方付勢部１４ｂにより、第２搬送ガイド１１ｂに向かう方向（近づく方向）に付勢されていたが、いずれか一方のみ第２搬送ガイド１１ｂに向かう方向に付勢される構成を採用してもよい。同様に、実施例４では、対向する２つの上方部２２と、対向する２つの下方部２３とは、いずれも第２の上方付勢部１５ａまたは第２の下方付勢部１５ｂにより互いに向かう方向（互いに近づく方向）に付勢されていたが、いずれか一方のみ互いに向かう方向に付勢される構成を採用してもよい。
【００６５】
各実施例では、キャッシュカードＣＡの搬送方向への繰り出しは、一対の搬送ローラー１２によって実現されていたが、一対の搬送ローラー１２に代えて、搬送用ベルトにより実現してもよい。実施例１の第２搬送ガイド１１ｂにおいて、第２支持部３０ｂと接続されていた部分は、中間部２１であったが、中間部２１に代えて、上方部２２または下方部２３を採用してもよい。
【符号の説明】
【００６６】
１０，１０ａ，１０ｂ，１０ｃ…カード搬送部
１１，１１ｘ…搬送ガイド
１１ａ，１１ｃ…第１搬送ガイド
１１ｂ，１１ｄ…第２搬送ガイド
１２…搬送ローラー
１２ａ…上部ローラー
１２ｂ…下部ローラー
１３…付勢部
１４ａ…上方付勢部
１４ｂ…下方付勢部
１５ａ…第２の上方付勢部
１５ｂ…第２の下方付勢部
２１，２１ａ…中間部
２２…上方部
２３…下方部
３０ａ…第１支持部
３０ｂ…第２支持部
３１ａ…上方支持部
３１ｂ…下方支持部
１００…現金自動取引装置
ＣＡ…キャッシュカード
Ｓ１，Ｓ１ａ…側面
Ｓ２…天井面
Ｓ３…底面
【図１】
2014137764.tif 000003
【図２】
2014137764.tif 000004
【図３】
2014137764.tif 000005
【図４】
2014137764.tif 000006
【図５】
2014137764.tif 000007
【図６】
2014137764.tif 000008
【図７】
2014137764.tif 000009
【図８】
2014137764.tif 000010
【図９】
2014137764.tif 000011